(57)【要約】結合復調器は、第１の信号のための第１の周波数あるいは第１の周波数エラーの推定および第２の信号のための第２の周波数あるいは第２の周波数エラーの推定を生成するよう、構成されている。第１の長期自動周波数制御は、推定された第１の周波数あるいは第１の周波数エラーに応答し、結合復調器は第１の長期自動周波数制御に応答する。第２の長期自動周波数制御は、推定された第２の周波数あるいは第２の周波数エラーに応答し、結合復調器は第２の長期自動周波数制御に応答する。第１および第２の局所自動周波数制御もまた、結合復調器に含むことができ、ここで、第１の長期自動周波数制御は第１の局所自動周波数制御に応答し、第２の長期自動周波数制御は第２の局所自動周波数制御に応答する。第１の長期自動周波数制御および第２の長期自動周波数制御は、結合復調器に適用される第１および第２の周波数オフセットをそれぞれ生成することができる。あるいは、第１および第２の周波数オフセットの相違は結合復調器に適用され、第１の周波数オフセットはダウン変換器に適用される。ダウン変換器は、結合して受信された第１および第２の信号をダウン変換し、結合復調器にダウン変換された信号を提供する。
2005507570.tif 000002
【特許請求の範囲】
【請求項１】
結合して受信された第１および第２の信号を復調するための結合復調システムであって、前記結合して受信された第１および第２の信号をダウン変換するよう構成された変換器と、ダウン変換された前記結合して受信された第１および第２の信号に応答し、前記ダウン変換された第１の信号に対する推定された第１の周波数あるいは第１の周波数エラーと前記ダウン変換された第２の信号に対する推定された第２の周波数あるいは第２の周波数エラーを別々に生成するよう構成された結合復調器と、を含み、前記変換器が、前記推定された第１の周波数あるいは第１の周波数エラーに応答して前記結合して受信された第１および第２の信号をダウン変換し、前記結合復調器が、前記推定された第２の周波数あるいは第２の周波数エラーと前記推定された第１の周波数あるいは第１の周波数エラーの相違に応答し、前記ダウン変換された結合して受信された第１および第２の信号を結合して復調する、前記結合復調システム。
【請求項２】
請求項１に記載のシステムにおいて、上記結合復調器が第１の周波数エラーは存在しないと仮定することを特徴する、上記システム。
【請求項３】
請求項１に記載のシステムにおいて、上記第１の信号が望ましい信号であり、上記第２の信号が妨害信号であることを特徴とする、上記システム。
【請求項４】
請求項１に記載のシステムにおいて、さらに、上記変換器が上記推定された第１の周波数あるいは第１の周波数エラーに基づいて上記結合して受信された第１および第２の信号をダウン変換するように、上記推定された第１の周波数あるいは第１の周波数エラーと上記変換器との間に結合された第１のフィードバック・ループと、上記結合復調器が上記推定された第２の周波数あるいは第２の周波数エラーに基づいて上記推定された第１および第２の周波数エラーを別々に生成するように、上記推定された第２の周波数あるいは第２の周波数エラーと上記結合復調器との間に結合された第２のフィードバック・ループと、を含むことを特徴とする上記システム。
【請求項５】
請求項４に記載のシステムにおいて、上記結合復調器が、上記第１の信号における周波数オフセットを第１の速度で訂正する第１の局所自動周波数制御システムを含み、上記第１のフィードバック・ループが、上記第１の信号における周波数オフセットを前記第１の速度より遅い第２の速度で訂正するために前記第１の局所自動周波数制御システムに結合している第１の長期自動周波数制御システムを含み、前記第１の長期自動周波数制御システムが上記変換器に結合していることを特徴とする、上記システム。
【請求項６】
請求項４に記載のシステムにおいて、上記結合復調器が、上記第２の信号における周波数オフセットを第１の速度で訂正する第２の局所自動周波数制御システムを含み、上記第２のフィードバック・ループが、上記第２の信号における周波数オフセットを前記第１の速度より遅い第２の速度で訂正するために前記第２の局所自動周波数制御システムに結合している第２の長期自動周波数制御システムを含み、前記第２の長期自動周波数制御システムが上記結合復調器に結合していることを特徴とする、上記システム。
【請求項７】
請求項５に記載のシステムにおいて、上記結合して受信された第１および第２の信号が一連の繰返しスロットを通して受信され各スロットの間に１回以上サンプリングされ、上記第１の速度が１サンプルにつき１回であり上記第２の速度が１スロットにつき１回であることを特徴とする、上記システム。
【請求項８】
請求項６に記載のシステムにおいて、上記結合して受信された第１および第２の信号が一連の繰返しスロットを通して受信され各スロットの間に１回以上サンプリングされ、上記第１の速度が１サンプルにつき１回であり上記第２の速度が１スロットにつき１回であることを特徴とする、上記システム。
【請求項９】
請求項５に記載のシステムにおいて、上記第１の局所自動周波数制御が、上記第１の受信信号における位相エラーを上記第１の速度で計算するよう構成された位相エラー計算器と、前記位相エラーに応答し、そこから第１の周波数エラーを上記第１の速度で計算するよう構成された位相同期ループと、を含むことを特徴とする、上記システム。
【請求項１０】
請求項６に記載のシステムにおいて、上記第２の局所自動周波数制御が、上記第２の受信信号における位相エラーを上記第１の速度で計算するよう構成された位相エラー計算器と、前記位相エラーに応答し、そこから第１の周波数エラーを上記第１の速度で計算するよう構成された位相同期ループと、を含むことを特徴とする、上記システム。
【請求項１１】
請求項９に記載のシステムにおいて、上記第１の長期自動周波数制御が、上記第１の周波数エラーに応答し、そこから第２の周波数エラーを上記第２の速度で決定するよう構成されているフィードバック・ループを含むことを特徴とする、上記システム。
【請求項１２】
請求項１０に記載のシステムにおいて、上記第２の長期自動周波数制御が、上記第１の周波数エラーに応答し、そこから第２の周波数エラーを上記第２の速度で決定するよう構成されているフィードバック・ループを含むことを特徴とする、上記システム。
【請求項１３】
請求項１に記載のシステムにおいて、さらに、上記ダウン変換された結合して受信された第１および第２の信号に応答し、上記第１の周波数エラーを推定するよう構成されたシングル・ユーザ復調器と、上記結合復調器かあるいは前記シングル・ユーザ復調器かを選択する選択器と、を含むことを特徴とする上記システム。
【請求項１４】
請求項１３に記載のシステムにおいて、上記選択器が上記シングル・ユーザ復調器を選択した場合に、上記推定された第２の周波数エラーが一定に保たれることを特徴とする、上記システム。
【請求項１５】
結合して受信された第１および第２の信号を復調するための結合復調システムであって、前記結合して受信された第１および第２の信号をダウン変換するよう構成された変換器と、ダウン変換された前記結合して受信された第１および第２の信号に応答し、前記ダウン変換された第１の信号に対する推定された第１の周波数あるいは第１の周波数エラーと前記ダウン変換された第２の信号に対する推定された第２の周波数あるいは第２の周波数エラーを別々に生成するよう構成された結合復調器と、を含み、前記結合復調器が、前記推定された第２の周波数あるいは第２の周波数エラーと前記推定された第１の周波数あるいは第１の周波数エラーの双方に応答し、前記ダウン変換された結合して受信された第１および第２の信号を結合して復調する、前記結合復調システム。
【請求項１６】
請求項１５に記載の結合復調システムにおいて、さらに、上記結合復調器が第１の周波数あるいは第１の周波数エラーの上記推定に基づいて上記結合して受信された第１および第２の信号を復調するように、第１の周波数あるいは第１の周波数エラーの上記推定と上記結合復調器との間に結合された第１のフィードバック・ループと、上記結合復調器が第２の周波数あるいは第２の周波数エラーの上記推定にも基づいて上記結合して受信された第１および第２の信号を復調するように、第２の周波数エラーの上記推定と上記結合復調器との間に結合された第２のフィードバック・ループと、を含むことを特徴とする上記システム。
【請求項１７】
請求項１５に記載のシステムにおいて、上記第１の信号が望ましい信号であり、上記第２の信号が妨害信号であることを特徴とする、上記システム。
【請求項１８】
請求項１５に記載のシステムにおいて、上記結合復調器が、上記第１の信号における周波数オフセットを第１の速度で訂正する第１の局所自動周波数制御システムを含み、上記第１のフィードバック・ループが、上記第１の信号における周波数オフセットを前記第１の速度より遅い第２の速度で訂正するために前記第１の局所自動周波数制御システムに結合している第１の長期自動周波数制御システムを含み、前記第１の長期自動周波数制御システムが上記結合復調器に結合していることを特徴とする、上記システム。
【請求項１９】
請求項１５に記載のシステムにおいて、上記結合復調器が、上記第２の信号における周波数オフセットを第１の速度で訂正する第２の局所自動周波数制御システムを含み、上記第２のフィードバック・ループが、上記第２の信号における周波数オフセットを前記第１の速度より遅い第２の速度で訂正するために前記第２の局所自動周波数制御システムに結合している第２の長期自動周波数制御システムを含み、前記第２の長期自動周波数制御システムが上記結合復調器に結合していることを特徴とする、上記システム。
【請求項２０】
請求項１８に記載のシステムであって、上記結合して受信された第１および第２の信号が一連の繰返しスロットを通して受信され各スロットの間に１回以上サンプリングされ、上記第１の速度が１サンプルにつき１回であり上記第２の速度が１スロットにつき１回であることを特徴とする、上記システム。
【請求項２１】
請求項１９に記載のシステムにおいて、上記結合して受信された第１および第２の信号が一連の繰返しスロットを通して受信され各スロットの間に１回以上サンプリングされ、上記第１の速度が１サンプルにつき１回であり上記第２の速度が１スロットにつき１回であることを特徴とする、上記システム。
【請求項２２】
請求項１８に記載のシステムにおいて、上記第１の局所自動周波数制御が、上記第１の受信信号における位相エラーを上記第１の速度で計算するよう構成された位相エラー計算器と、前記位相エラーに応答し、そこから第１の周波数エラーを上記第１の速度で計算するよう構成された位相同期ループと、を含むことを特徴とする、上記システム。
【請求項２３】
請求項１９に記載のシステムにおいて、上記第２の局所自動周波数制御が、上記第２の受信信号における位相エラーを上記第１の速度で計算するよう構成された位相エラー計算器と、前記位相エラーに応答し、そこから第１の周波数エラーを上記第１の速度で計算するよう構成された位相同期ループと、を含むことを特徴とする、上記システム。
【請求項２４】
請求項２２に記載のシステムにおいて、上記第１の長期自動周波数制御が、上記第１の周波数エラーに応答し、そこから第２の周波数エラーを上記第２の速度で決定するよう構成されているフィードバック・ループを含むことを特徴とする、上記システム。
【請求項２５】
請求項２３に記載のシステムにおいて、上記第２の長期自動周波数制御が、上記第１の周波数エラーに応答し、そこから第２の周波数エラーを上記第２の速度で決定するフィードバック・ループを含むことを特徴とする、上記システム。
【請求項２６】
請求項１５に記載のシステムにおいて、さらに、上記ダウン変換された結合して受信された第１および第２の信号に応答し、上記第１の周波数あるいは第１の周波数エラーの推定を提供するよう構成されたシングル・ユーザ復調器と、上記結合復調器かあるいは前記シングル・ユーザ復調器かを選択する選択器と、を含むことを特徴とする上記システム。
【請求項２７】
請求項２６に記載のシステムにおいて、上記選択器が上記シングル・ユーザ復調器を選択した場合に、上記第２のフィードバック・ループが上記第２の周波数エラーの推定を一定に保つことを特徴とする、上記システム。
【請求項２８】
結合して受信された第１および第２の信号のための復調システムであって、第１の信号に対する推定された第１の周波数あるいは第１の周波数エラーと第２の信号に対する推定された第２の周波数あるいは第２の周波数エラーを生成するよう構成された結合復調器と、前記推定された第１の周波数あるいは第１の周波数エラーに応答し、この場合前記結合復調器が応答する、第１の長期自動周波数制御と、前記推定された第２の周波数あるいは第２の周波数エラーに応答し、この場合前記結合復調器が応答する、第２の長期自動周波数制御と、を含む前記復調システム。
【請求項２９】
請求項２８に記載のシステムにおいて、さらに上記第１および第２の自動周波数制御に応答する減算器を含み、上記結合復調器が前記減算器に応答することを特徴とする、上記システム。
【請求項３０】
請求項２８に記載のシステムにおいて、さらに上記結合して受信された第１および第２の信号をダウン変換するよう構成された変換器を含み、上記結合復調器がダウン変換された上記結合して受信された第１および第２の信号に応答し、前記変換器が上記第１の長期自動周波数制御にも応答することを特徴とする、上記システム。
【請求項３１】
請求項２８に記載のシステムにおいて、上記第１の信号が望ましい信号であり、上記第２の信号が妨害信号であることを特徴とする、上記システム。
【請求項３２】
請求項２８に記載のシステムにおいて、上記結合復調器が、上記第１の信号における周波数オフセットを第１の速度で訂正する第１の局所自動周波数制御を含み、上記第１の長期自動周波数制御が、上記第１の信号における周波数オフセットを前記第１の速度より遅い第２の速度で訂正するために前記第１の局所自動周波数制御に結合していることを特徴とする、上記システム。
【請求項３３】
請求項２８に記載のシステムにおいて、上記結合復調器が、上記第２の信号における周波数オフセットを第１の速度で訂正する第２の局所自動周波数制御を含み、上記第２の長期自動周波数制御が、上記第１の信号における周波数オフセットを前記第１の速度より遅い第２の速度で訂正するために前記第１の局所自動周波数制御に結合していることを特徴とする、上記システム。
【請求項３４】
請求項３２に記載のシステムにおいて、上記結合して受信された第１および第２の信号が一連の繰返しスロットを通して受信され各スロットの間に１回以上サンプリングされ、上記第１の速度が１サンプルにつき１回であり上記第２の速度が１スロットにつき１回であることを特徴とする、上記システム。
【請求項３５】
結合して受信された第１および第２の信号を復調するための結合復調方法であって、前記結合して受信された第１および第２の信号をダウン変換することと、ダウン変換された前記第１の信号に対する推定された第１の周波数あるいは第１の周波数エラーとダウン変換された前記第２の信号に対する推定された第２の周波数あるいは第２の周波数エラーを別々に生成することと、を含み、前記結合して受信された第１および第２の信号のダウン変換が前記推定された第１の周波数あるいは第１の周波数エラーに応答し、前記ダウン変換された第１の信号に対する推定された第１の周波数あるいは第１の周波数エラーと前記ダウン変換された第２の信号に対する推定された第２の周波数あるいは第２の周波数エラーを別々に生成することが、前記推定された第２の周波数あるいは第２の周波数エラーと前記推定された第１の周波数あるいは第１の周波数エラー間の相違に応答する、前記結合復調方法。
【請求項３６】
請求項３５に記載の方法において、上記第１の信号が望ましい信号であり、上記第２の信号が妨害信号であることを特徴とする、上記方法。
【請求項３７】
請求項３５に記載の方法において、上記ダウン変換された第１の信号に対する推定された第１の周波数あるいは第１の周波数エラーと上記ダウン変換された第２の信号に対する推定された第２の周波数あるいは第２の周波数エラーを別々に生成することが、上記第１の信号における周波数オフセットを第１の速度で訂正することと、周波数オフセットが訂正された上記第１の信号における周波数オフセットを前記第１の速度より遅い第２の速度で訂正することとを含み、それにより第１の周波数あるいは第１の周波数エラーを推定することを特徴とする、上記方法。
【請求項３８】
請求項３５に記載の方法において、上記ダウン変換された第１の信号に対する推定された第１の周波数あるいは第１の周波数エラーと上記ダウン変換された第２の信号に対する推定された第２の周波数あるいは第２の周波数エラーを別々に生成することが、上記第２の信号における周波数オフセットを第１の速度で訂正することと、周波数オフセットが訂正された上記第２の信号における周波数オフセットを前記第１の速度より遅い第２の速度で訂正することとを含み、それにより第２の周波数あるいは第２の周波数エラーを推定することを特徴とする、上記方法。
【請求項３９】
請求項３８に記載のシステムにおいて、上記結合して受信された第１および第２の信号が一連の繰返しスロットを通して受信され各スロットの間に１回以上サンプリングされ、上記第１の速度が１サンプルにつき１回であり上記第２の速度が１スロットにつき１回であることを特徴とする、上記システム。
【請求項４０】
請求項３７に記載の方法において、上記第１の信号における周波数オフセットを第１の速度で訂正することが、上記第１の受信信号における位相エラーを上記第１の速度で計算することと、そこからの第１の周波数エラーを前記第１の速度で計算することと、を含むことを特徴とする、上記システム。
【請求項４１】
請求項３５に記載の方法において、さらに、上記ダウン変換された第１の信号における第１の周波数エラーを推定することと、上記ダウン変換された第１の信号に対する推定された第１の周波数あるいは第１の周波数エラーと上記ダウン変換された第２の信号に対する推定された第２の周波数あるいは第２の周波数エラーを別々に生成すること、あるいは、上記ダウン変換された第１の信号における第１の周波数エラーを推定することを選択的に行うことと、を含むことを特徴とする、上記方法。
【請求項４２】
請求項４１に記載の方法において、さらに、上記ダウン変換された第１の信号における上記第１の周波数エラーを選択的に推定することに応答して、上記推定された第２の周波数あるいは第２の周波数エラーを一定に保つことを含むことを特徴とする、上記方法。
【請求項４３】
結合して受信された第１および第２の信号を復調するための結合復調方法であって、前記結合して受信された第１および第２の信号をダウン変換することと、ダウン変換された前記第１の信号に対する推定された第１の周波数あるいは第１の周波数エラーとダウン変換された前記第２の信号に対する推定された第２の周波数あるいは第２の周波数エラーを別々に生成することと、を含み、前記ダウン変換された第１の信号に対する推定された第１の周波数あるいは第１の周波数エラーと前記ダウン変換された第２の信号に対する推定された第２の周波数あるいは第２の周波数エラーを別々に生成することが、前記推定された第２の周波数あるいは第２の周波数エラーと前記推定された第１の周波数あるいは第１の周波数エラーの双方に応答する、前記結合復調方法。
【請求項４４】
請求項４３に記載の方法において、上記第１の信号が望ましい信号であり、上記第２の信号が妨害信号であることを特徴とする、上記方法。
【発明の詳細な説明】
【０００１】
（発明の背景）
本発明は、デジタル通信、特に受信信号の結合復調のためのシステムおよび方法に関する。
【０００２】
結合復調は、共通チャネルを通して受信される２つ以上の信号を検知するために、広く使用されている。例えば、結合復調は、妨害信号をも含む受信信号から望ましい信号を検知するために使用することができる。結合復調において、望ましい信号および妨害信号は共に、望ましい信号をよりよく推定するために、望ましい信号および妨害信号に関する情報に基づき復調される。
【０００３】
ＩＳ−１３６  ＴＤＭＡ無線通信端末のための２ユーザ結合復調は、平坦なゆっくりとしたフェイディング・ダウンリンク環境を想定して、“妨害者”とも呼ばれる優勢な妨害信号を取消すために提案されている。妨害信号を減少させることによって、望ましい信号のビット・エラー率を改善することができる。このことは、妨害信号に対応するチャネルおよびシンボル・データが一般に望ましい信号と完全には相互関連していないので、２つの信号を分離することができることにより、実現される。結合復調は、従って、チャネルを推定し、データ・スロットにわたる各ユーザに対するシンボルを検知する能力に依存している。
【０００４】
ＩＳ−１３６システムのために使用される結合復調において、最初のチャネル応答の推定は、望ましい信号に対する同期化系列が既知であるので、一般に従来のシングル・ユーザ復調におけるのと同様の方法で行われる。しかし、妨害信号の同期ワードは一般に不明なので、半ブラインド技術が、妨害信号のサンプル位置オフセットおよび最初のチャネル応答を推定するために使用されることがある。２ユーザ・シンボル・データは、例えば、各ユーザに対するチャネル応答のＬＭＳトラッキングを使用するサバイバ毎の処理を使用して、結合して検知することができる。
【０００５】
結合復調の実行における問題は、ユーザ信号の周波数オフセットが妨害を取消す能力上に及ぼす影響である。シングル・ユーザ復調においては、受信信号の搬送周波数は、例えば基地局および無線端末における発振器の耐性が限られていることによって、推定される搬送周波数によって相殺されることがある。この周波数オフセットを訂正するのは、通常、２ステップからなる自動周波数制御（ＡＦＣ）処理であり、この処理は最初の周波数獲得と周波数トラッキングを含む。周波数トラッキングは、最初の周波数獲得のあとに残っている残余周波数オフセットを推定およびトラックすることができ、それ自体長期ＡＦＣおよび局所（短期）ＡＦＣ推定を含む２ステップ処理であってもよい。
【０００６】
（発明の概要）
本発明の実施例は、結合して受信された第１および第２信号の結合復調のためのシステムおよび方法を提供する。ここで、結合復調器は、第１の信号のための第１の周波数あるいは第１の周波数エラーの推定および第２の信号のための第２の周波数あるいは第２の周波数エラーの推定を生成するよう、構成されている。第１の長期自動周波数制御は、推定された第１の周波数あるいは第１の周波数エラーに応答し、結合復調器は第１の長期自動周波数制御に応答する。第２の長期自動周波数制御は、推定された第２の周波数あるいは第２の周波数エラーに応答し、結合復調器は、第２の長期自動周波数制御に応答する。第１および第２の局所自動周波数制御もまた、結合復調器に含むことができ、ここで、第１の長期自動周波数制御は第１の局所自動周波数制御に応答し、第２の長期自動周波数制御は第２の局所自動周波数制御に応答する。
【０００７】
いくつかの実施例において、第１の長期自動周波数制御および第２の長期自動周波数制御は、結合復調器に適用される第１および第２の周波数オフセットをそれぞれ生成する。他の実施例においては、第１および第２の周波数オフセットの相違が結合復調器に適用され、第１の周波数オフセットはダウン変換器に適用される。ダウン変換器は、結合して受信された第１および第２の信号をダウン変換し、結合復調器にダウン変換された信号を提供する。このように、これらの実施例においては、望ましい信号の周波数オフセットは、ダウン変換器の局所発振器において入力信号を訂正するために使用される。
【０００８】
（発明の詳細な説明）
本発明の好ましい実施例を表す図面を参照しながら、本発明を以下に詳細に説明する。本発明は、しかし、多くの異なる形式において実施することができ、ここに説明される実施例に限定されるものではない。むしろ、これらの実施例は、本発明の開示が完全であるように、そしてこの分野の技術者に本発明の範囲を完全に伝えることができるように、提供されているものである。図面における構成要素には参照番号が付けられている。ひとつの要素が他の要素に“結合している”あるいは“接続している”と表現される場合、それは、他の要素に直接結合あるいは接続していることもあるし、間に他の要素が介在することもあることを理解されたい。反対に、ひとつの要素が他の要素に“直接結合している”あるいは“直接接続している”と表現される場合、その間には他の要素は介在しない。
【０００９】
図１には、シングル・ユーザ検知器のための長期ＡＦＣループのブロック図が示されている。図１に示されるように、受信信号はアンテナ１０２において受信され、変換器１０４によってダウン変換される。信号はそれからフィルタ１０６によってフィルタにかけられ、アナログからデジタル変換器を通り、サンプリングされ、同期装置１０８に送られる。信号は、ＩＳ−１３６基準におけるように、１シンボルにつき１回、あるいは１シンボルにつき複数回サンプリングすることができる。
【００１０】
同期装置１０８は、信号を同期化し、１シンボルにつきひとつ以上のサンプルを使用する検知器によって処理される速度で、さらに出力信号をサンプリングすることができる。本実施例においては、検知器１１０は、最尤系列推定器（ＭＬＳＥ）であり、復調された信号を出力する。さらに、長期ＡＦＣループ１１２は、変換器１０４における次のデータ・スロットに適用される周波数事前訂正信号ｆｄ，ｎを生成するために平滑化フィルタ１１４に適用される、周波数エラー信号ｆｄ，ｅｒｒに応答する。
【００１１】
無線端末における結合復調に対して、複数のユーザに対する周波数オフセットが、ユーザの信号を伝送する異なる基地局から起こることがある。望ましい信号および妨害信号の結合復調に対して、望ましい信号と妨害信号の間の周波数オフセットによって、周波数オフセットが起こることがある。粗い周波数獲得が、望ましい信号の基地局に関して実行されたと仮定する。さらに、±２００Ｈｚの残余周波数エラーが基地局搬送波と真の搬送周波数の間に存在し、移動端末を粗い獲得後の望ましい基地局搬送周波数に関して±２００Ｈｚ内に固定することができると仮定する。これらの仮定に基づき、移動端末から望ましいおよび妨害基地局への最大周波数エラーは、それぞれ、±２００Ｈｚおよび±６００Ｈｚとなる。
【００１２】
周波数オフセットの補償および結合復調のためのひとつの方法は、ムラタその他による、非線形共通チャネル妨害取消しのための結合周波数オフセットおよび遅延プロファイル推定技術、Ｐｒｏｃ．ＰＩＭＲＣ、１９９８年１１月、４８６−４９０ページに記述されている。ムラタその他は、全てのユーザの同期化系列が既知の、スロット調整ＴＤＭＡシステムを記述している。同期化系列は、各ユーザに対する周波数オフセットを結合的に推定するようモードを訓練するために使用され、これらの周波数推定はそれから、既知ではないデータ・バーストにわたる次に続く復調のために固定される。
【００１３】
ムラタその他による文献における結合ＡＦＣの方法は、上記のシングル・ユーザＡＦＣの方法に類似している。しかし、半ブラインド結合復調に対しては適切に機能しないことがある。特に、望ましい信号周波数は、同期あるいは復調に先立ち局所発振器周波数を事前訂正するためには使用されていない。この訂正は、多くのＩＳ−１３６無線端末におけるように、訂正された受信周波数が伝送周波数のための参照として使用される場合、好ましいものである。
【００１４】
さらに、ムラタその他による文献においては、周波数オフセットは同期化系列中に直接推定され、データ・バーストを復調するときに、位相訂正として距離における仮説信号に適用される。周波数は位相の派生物であるので、雑音のある推定であることもあり、位相トラッカを使用する必要があることもある。最後に、半ブラインド結合復調方法においては、妨害信号に対する同期化系列は既知ではない。従って、妨害信号のチャネルおよび周波数推定の双方が、訓練の後においてあまり信頼できるものではない。データ復調のための周波数推定を固定することに代えて、その周波数推定をトラックすることが好ましい。残念なことに、ＡＦＣループは一般に、小さな周波数エラーをトラックするように設計されている。従って、残余周波数エラー、つまり、推定された周波数オフセットと真の周波数オフセットとの差、をトラックすることがより望ましい。
【００１５】
本発明による実施例を以下に説明する。これらの実施例においては、望ましい信号のための周波数の事前訂正を、フィルタリングおよび同期化に先立って行うことができる。このことは、受信機における局所発振器（ＬＯ）のような変換器への、“妨害者”とも呼ばれる、妨害信号のような第２の信号の関連する周波数オフセットに影響を与える。
【００１６】
例えば、図２に示されるように、移動局（ＭＳ）とも呼ばれる無線端末は、基地局ＢＳ１（望ましい）およびＢＳ２（妨害者）のような伝送者からの、２００Ｈｚのオフセットを有する。移動局がその周波数をＢＳ１と一致するように訂正すると、それはＢＳ２からの４００Ｈｚのオフセットとなる。周波数訂正が行われると、ｆＭＳがｆＢＳ１の場合、ｆＢＳ２−ｆＢＳ１が移動局から妨害者への周波数オフセットとなる。周波数オフセットの直接推定において、オフセットは移動搬送波ｆＭＳに関連して変化するので、このことは問題となることがある。
【００１７】
代わりに、本発明の実施例により、周波数事前訂正を行った後に固定周波数オフセットを変える必要がないように、参照に関連して周波数オフセットの推定が得られる。加えて、ＭＬＳＥにおいて、残余周波数エラーが望ましくは整定時間の後に小さくなるように、これをトラックすることが望ましい。このことのために、本発明の実施例は、ＭＬＳＥ距離およびチャネル推定器における固定周波数項を説明する。
【００１８】
図３に関して、本発明による第１の実施例、結合して受信された第１および第２の信号を復調するためのシステムおよび方法３００を説明する。図３に示されるように、ベースバンド変換器あるいはベースバンド復調器のような変換器３１０は、結合して受信された第１および第２の信号Ｓ１およびＳ２をダウン変換するように構成されている。結合復調器３２０は、ダウン変換された結合受信された第１および第２の信号に応答し、ダウン変換された第１の信号に対する推定された第１の周波数ｆ１あるいは推定された第１の周波数エラーｆ１，ｅｒｒと、ダウン変換された第２の信号に対する推定された第２の周波数ｆ２あるいは推定された第２の周波数エラーｆ２、ｅｒｒを別々に生成するように、構成されている。図３に示されるように、結合復調器３２０は、第１の局所ＡＦＣ３２２ａおよび第２の局所ＡＦＣ３２２ｂを含むことができ、これらは、第１の周波数／第１の周波数エラーおよび第２の周波数／第２の周波数エラーをそれぞれ生成するために使用することができる。
【００１９】
さらに図３に関して説明すると、第１の長期自動周波数制御３３０ａは第１の周波数／第１の周波数エラーに応答し、第１の周波数オフセットｆ１（バー）を生成し、これは結合復調器３２０に適用される。第２の長期自動周波数制御３３０ｂは、第２の周波数／第２の周波数エラーに応答し、第２の周波数オフセットｆ２（バー）を生成し、これは結合復調器に適用される。このように、結合復調器は、推定された第２の周波数／第２の周波数エラーおよび推定された第１の周波数／第１の周波数エラーの双方に応答し、ダウン変換された結合して受信された第１および第２の信号を結合して復調する。
【００２０】
図４において、第２の実施例、結合して受信された第１および第２の信号を復調するためのシステムおよび方法４００が示されている。図４に示されるように、変換器３１０、第１の局所ＡＦＣ３２２ａおよび第２の局所ＡＦＣ３２２ｂを含む結合復調器３２０、および、第１および第２の長期ＡＦＣ３３０ａおよび３３０ｂは、それぞれ、図３に関して上に記述したように動作することができる。図４において、減算器４４０も備えられ、ここで第１の周波数オフセットｆ１（バー）および第２の周波数オフセットｆ２（バー）の相違が生成され、結合復調器３２０に適用される。これらの実施例において、結合復調器は、図４に示されるように、第１の周波数エラーは存在しないものと仮定する。
【００２１】
図３および図４の実施例に関して、さらに説明する。本発明の実施例において、第１の信号Ｓ１は望ましい信号であり、第２の信号Ｓ２は妨害信号であるとする。さらに、結合して受信された第１および第２の信号は、一連の繰返しスロットを通して受信され、各スロットの間に１回以上サンプリングされる。局所ＡＦＣ３２２ａおよび３２２ｂは第１の速度で動作することができ、長期ＡＦＣ３３０ａおよび３３０ｂは、第１の速度より遅い第２の速度で動作することができる。いくつかの実施例においては、第１の速度は１サンプルにつき１回であり、第２の速度は１スロットにつき１回である。局所ＡＦＣ３２２ａおよび３２２ｂからの出力は、周波数オフセットの推定であってもよいし、周波数オフセットにおけるエラーの推定であってもよい。長期ＡＦＣ３３０ａ、３３０ｂは、入力からのどちらの種類の推定も処理できるように構成することができる。局所ＡＦＣがエラー周波数のみを推定するように、固定周波数項を局所ＡＦＣ３２２ａ、３２２ｂに入力することができる。
【００２２】
図４において、望ましい信号の周波数推定ｆ１（バー）は、復調に先立って信号を訂正するために、変換器３１０における局所発振器に送ることができる。あるいは、図３における実施例においては、望ましい信号の周波数オフセットｆ１（バー）は、結合復調器に直接送ることができる。
【００２３】
図５は、本発明による結合復調システムおよび方法の他の実施例のブロック図である。図５において、結合復調器３２０は、データの１スロットを復調した後、各ユーザに対する残余周波数エラーｆ１，ｅｒｒおよびｆ２、ｅｒｒの推定を出力する。各残余エラー推定は、長期ＡＦＣル−プ３００ａ、３３０ｂに入力され、これらのループは、各ユーザに対する合計周波数オフセットを計算するために、それぞれ平滑化フィルタ５６０ａ、５６０ｂを含む。望ましい信号の周波数オフセットｆ１（バー）は、変換器３１０の局所発振器５３０に適用され、アナログ加算器４４０からの相違ｆ２（バー）−ｆ１（バー）は、妨害者に対する最初の周波数オフセットとして、結合復調器３２０に適用される。また図示されるように、ゼロ周波数オフセット５５０が、望ましい信号に対する最初の周波数オフセットとして、結合復調器３２０に入力される。従来技術によるフィルタ５３２および同期装置５３４もまた、変換器３１０において使用されている。平滑化フィルタ５６０ａ、５６０ｂは、図示されるように接続されるとき、長期ＡＦＣ３３０ａ、３３０ｂとして動作する。
【００２４】
結合復調器３２０における結合復調のための距離計算およびチャネル推定について、ここに説明する。シンボル間隔受信サンプルを使用した２ユーザの場合、受信信号は、以下の方程式を使用したｌ番目のサンプルにおいてモデル化される。
【数１】
2005507570.tif 000003
ここで、項φ１，ｅｒｒおよびφ２，ｅｒｒは、時間ｌを通して位相が推定され訂正されたとして、それぞれ、望ましいユーザと妨害ユーザの位相エラーを表している。項
2005507570.tif 000004
は、サンプルｌまでに事前訂正されたユーザｉに対する仮説受信信号であり、以下の方程式によって計算される。
【数２】
2005507570.tif 000005
ここで、Ｋｉはユーザｉに対する分配的タップの数である。仮説信号は、各ユーザに対する固定周波数成分ｆｉを含み、これはスロットにわたって変化しない。あるいは、固定周波数成分ｆｉは、ゼロに設定することができ、第２オーダ位相同期ループの周波数成分の最初の値として組み込むことができる。適応位相エラー項Фｉ，ｌは、（ｌ―１）番目の受信サンプルを復調した後適用される位相訂正である。この位相エラーは、残余周波数エラーを各ユーザに対して推定することができるように、シングル・ユーザの場合と同様に、第２オーダ・デジタル位相同期ループによりモデル化されていると仮定する。この目的は、更新された位相訂正Фｉ，ｌ＋１を形成するために使用される、各ユーザｉ＝１およびｉ＝２に対する位相エラー項Фｉ，ｅｒｒをどのように計算するかを決定することである。
【００２５】
サバイバ毎処理（ＰＳＰ）および複数サバイバＭＬＳＥはどちらも、結合復調のために使用することができる。それぞれの場合、分岐距離が、ＭＬＳＥ格子における仮説パスのために生成される。図６に示されるように、ＰＳＰ−ＭＬＳＥに対して、各新しい状態の入力における最善の合計集積距離６１０ａから６１０ｍに対応するパスが、ブロック６２０において生き残りパスと宣言される。ＱＰＳＫシグナリングを使用する複数サバイバＭＬＳＥに対しては、図７に示されるように、集積距離７１０ａから７１０ｍがブロック７２０においてランク付けされ、最善の距離を有するＭパスが生き残り、さらに伝播される。いずれの場合も、チャネルおよびＡＦＣ推定は、生き残り状態あるいはパスに対して、それぞれブロック６３０および７３０において更新される。
【００２６】
距離生成の実施例、例えば図６および図７におけるブロック６１０および７１０は、それぞれ、図８において説明される。現在の状態（パス）からの各新しい分岐に対し、エラー値ｅｌが計算される。最初に、シンボル・データおよびチャネル・データが、各ユーザｉ∈｛２，１｝に対して、信号
2005507570.tif 000006
を計算するためにブロック８１０で使用される。この信号は、周波数エラーがない場合の受信信号に対応する。次に、固定周波数エラー項ｆｉが、ブロック８３０ａおよび８３０ｂにおいて、ブロック８２０からの最近の位相訂正項Фｉ，ｌと組み合わされる。これは複素平面においてｙｉ，ｌを回転させるために使用され、ブロック８４０ａおよび８４０ｂを使用して
2005507570.tif 000007
を成する。そしてエラー項がブロック８５０および８６０を使用して形成される。エラー項は、分岐距離を計算するために使用される。項ｐｉ，ｌは、ｙｉ，ｌにおいて実行される複素回転を表し、以下の式で表される。
【数３】
2005507570.tif 000008
この時点で、次に続くチャネルあるいはＡＦＣ更新において使用されるように、一定の変数を各最善のパスのために一時的に保存してもよい。項ｅｌ、ｐｉ，ｌ、ｓｉ，ｌをチャネルの更新のために、また、
2005507570.tif 000009
をＡＦＣ更新のために保存することができる。ハフィーズその他による米国特許出願第０９／１４３，８２１号“受信信号のための複数タイミングを使用する共通チャネル妨害を減少させるためのシステムおよび方法”において、ｓｉ，ｌは既知のパルス形によってフィルタをかけられたシンボル情報に対応し、シンボル・データそのものではないことに注意されたい（このためにｓｉ，ｌを保存する必要があるのである）。また、従来のＰＳＰ−ＭＬＳＥあるいはＭＳ−ＭＬＳＥの一部として、各サバイビング・パスのために伝播されるシンボル履歴、チャネルおよび位相エラー状態を保存することが望ましい。
【００２７】
２ユーザ結合復調のためのチャネル更新が、上記の一時的に保存されたパス変数を使用して、図９に示されるように行われる。位相訂正項は、各チャネル更新ブロック９２０に共通なブロック９１０ａおよび９１０ｂにおいて、シングル・ユーザに対してエラー信号に適用される。さらに、距離計算のために、位相エラーはシンボル・データではなく、ｙｉ，ｌに適用される。この方法による位相訂正は、シンボル値を格子における各可能性のある分岐距離のために回転させる必要がある、ムラタその他による文献において使用されている方法よりも、少ない操作で行うことができる。
【００２８】
本発明の実施例による結合復調のための局所ＡＦＣを、以下に説明する。更新は、ＡＦＣループにおいて使用されるように位相エラー項を計算するために決定される。数式（４）は、周波数訂正の後の受信サンプルを表している。ここで残余位相エラーФ１，ｅｒｒおよびФ２，ｅｒｒを見つけることができる。これらの位相エラーを見つけるために、以下の距離を使用することができる。
【数４】
2005507570.tif 000010
ここで、ゼロ平均ＡＷＧＮ雑音およびさらなる妨害はないと仮定する。項
2005507570.tif 000011
および
2005507570.tif 000012
である。そして、拡張γは以下の式で表わされ、γに対する同等の距離は以下の２番目の式で表わされる。
【数５】
2005507570.tif 000013
Ф１，ｅｒｒの推定が、Ф２，ｅｒｒが固定された状態で行われる場合、γは、Ф１，ｅｒｒを含む項のみを使用して最大化することができる。従って、以下の式のようになる。
【数６】
2005507570.tif 000014
この量数を最大にするために、Ф１，ｅｒｒは以下のようになるように選択することができる。
【数７】
2005507570.tif 000015
同様の方法をФ２，ｅｒｒに対する推定を見つけるために使用することができ、それは以下のようになる。
【数８】
2005507570.tif 000016
【００２９】
図１０は、２ユーザに対する長期ＡＦＣ１０２０の実施例と組み合わされた局所ＡＦＣ１０１０の実施例を示すブロック図である。ここで、１人目のユーザは望ましいユーザであり、２人目のユーザは妨害者である。局所ＡＦＣ１０１０の出力は、等化器において使用されるが、長期ＡＦＣ１０２０へも出力される。局所ＡＦＣの出力は、選択的により遅い速度でサンプリングすることができ、それから長期ＡＦＣブロックに入力される。
【００３０】
さらに詳しく説明すると、図１０に示されるように、局所ＡＦＣ１０１０の実施例は、位相エラー計算ブロック１０３０を含む。この位相エラー計算ブロック１０３０は、第１の受信信号における第１の位相エラーおよび第２の受信信号における第２の位相エラーを、例えばＭＬＳＥの出力に基づき計算するように構成されている。１以上の第２オーダ位相同期ループ１０４０ａおよび１０４０ｂもまた提供されている。第１の位相同期ループ１０４０ａは、第１の位相エラーに応答し、第１の周波数エラーを計算する。第２の位相同期ループ１０４０ｂは第２の位相エラーに応答し、そこから第２の周波数エラーを計算する。これらの周波数エラーは、長期ＡＦＣブロック１０２０に提供され、そこで平滑化ブロック１０５０ａ、１０５０ｂが既に説明したように動作する。
【００３１】
図１１は、本発明の実施例による、例えば図１０のブロック１０３０のような位相エラー計算を表すブロック図である。図１１の位相エラー計算は、上記の方程式（７）および（８）によって示される位相エラーを生成する。各位相エラー推定は、図１０に示されるようなフィードバック処理を使用して他の位相エラー推定を更新するために使用される。このフィードバックを実行するための、あるいはこれに代わる他の実施例を以下に説明する。
【００３２】
図１２は、本発明の実施例による、図１０の第２オーダ位相同期ループ１０４０ａおよび１０４０ｂのような、第２オーダ位相同期ループを示すブロック図である。第２オーダ位相同期ループは、この分野の技術者には周知であるので、ここで詳述する必要はない。
【００３３】
例えば図１０から図１２に示されるような、上記局所２ユーザＡＦＣ技術の実施例は、Ф２，ｅｒｒを計算するために
2005507570.tif 000017
にする推定を使用する。推定における相互依存を避けるために、項Ф２，ｅｒｒを推定から落とすことができ、ムラタその他による文献において使用されている形式に類似した形式となる。
【００３４】
他の実施例においては、第１のユーザに対する位相エラーを生成する際に、第２のユーザからのフィードバック位相エラー項を落とすことができる。そうすると、第１のユーザに対する位相エラー項は、第２のユーザに対する位相エラーを生成するためにフィードバックすることができ、他のユーザに対しても同様の動作が続く。
【００３５】
全てのユーザに対して位相エラー項が計算されると、処理が繰り返される。そして、位相エラー推定を（位相エラー計算の）第１の繰返しから使用することができる。例えば、他の実施例においては、図１０から図１２に示される局所ＡＦＣを、図１１におけるフィードバック位相エラーのような新しく計算された位相エラー項を使用して、１回以上繰返すことができる。
【００３６】
この依存（およびフィードバック位相エラー項）を除くことができる実施例は、双方の位相エラーを同時に結合して推定する。このために、方程式（４）からの距離が否定される。
【数９】
2005507570.tif 000018
そして、この距離を最小にする重みベクトル
2005507570.tif 000019
が見つけられる。この動作を実行するために、以下の式を得るための傾きが計算される。
【数１０】
2005507570.tif 000020
この方程式をゼロに設定すると、
2005507570.tif 000021
である
2005507570.tif 000022
方程式となる。しかし、２ユーザ・シンボル間隔の場合、このシステムは一般に、劣決定される。一般に、一般逆行列Ｒ＋が、方程式の重複決定あるいは劣決定されたシステムを解決するために使用され、劣決定されたシステムの場合、Ｒ＋＝ＲＨ（ＲＲＨ）−１となる。一旦
2005507570.tif 000023
が見つかると、
2005507570.tif 000024
となる。
【００３７】
他の代替実施例は、方程式の劣決定されたシステムを形成することを避けることができる。このことのため、断片的に間隔をとった１組の受信サンプルが使用され、断片的間隔は結合復調されるユーザの数と同じかあるいはそれより大きくなる。例えば、ひとつのシンボルにつき２つのサンプルをとる断片的サンプリングの速度に対して、ｙｌは受信サンプルｙｌ＝［ｙ（ｌＴｓ−Ｔｓ／２）ｙ（ｌＴｓ）］のベクトルとなり、
2005507570.tif 000025
は２ｘ２マトリックスとなる。２ユーザの場合、重みベクトルに対する独自の解決策を見出すことができる。方程式の劣決定されたシステムを形成することを避ける他の代替実施例は、１度に２つのシンボル間隔サンプルを考慮する、つまり、ＡＦＣの更新を２シンボル毎に行うことである。
【００３８】
他の実施例は、結合位相エラー更新をより不正確な方法で計算することである。例えば、ＩＳ−１３６等化器において、位相エラー更新に使用される値は、位相エラーの符号である。従って、局所ＡＦＣへの更新は固定振幅であるが、符号において変化する。類似する方法を、結合復調の実施例のために使用することができる。例えば、２ユーザの場合に、位相更新値の１組（Ф１，ｅｒｒ、Ф２，ｅｒｒ）は、｛（μ１，μ１｝、（−μ１，μ１）、（μ１，−μ１）、（−μ１，−μ１）｝の組に属する値のうちのひとつをとることができる。正確な値は、（Ф１，ｅｒｒ、Ф２，ｅｒｒ）の各可能性のある値に対して方程式（１２）を評価し、γを最小にする組を選択することによって、選択することができる。他の実施例において、ａｒｇ（）関数は、ａｒｇ（ａ＊ｂ）＝ｓｉｇｎ（ｒｅａｌ（ａ）ｉｍａｇ（ｂ）−ｒｅａｌ（ｂ）ｉｍａｇ（ａ））の近似値によって置き換えることができる。
2005507570.tif 000026
を計算するためには、
2005507570.tif 000027
そして
2005507570.tif 000028
とし、
2005507570.tif 000029
を計算するためには、
2005507570.tif 000030
そして
2005507570.tif 000031
とする。
【００３９】
最後に、サバイバ毎処理あるいは複数サバイバＭＬＳＥのどちらも必要ではない。むしろ、ひとつのチャネル・モデルあるいはひとつのＡＦＣモデルが、復調器における全ての仮説状態（パス）に対して十分である。従って、代替実施例は、ひとつのＡＦＣモデルを使用して、各サンプル時間における全ての仮説状態（パス）に対するひとつの位相エラー推定およびひとつの周波数エラー推定を計算することができる。既に説明したのと同じ局所ＡＦＣ更新方法を使用することができるが、更新するために使用されるデータは、最善の仮説状態（パス）からとることができる。信頼できる推定を計算するために、現在の受信サンプルと推定を更新するために使用されたサンプルとの間の遅れが存在し、この場合、最善のパスに沿って保存された情報が使用される。
【００４０】
図１３および図１４を参照し、本発明による適応性のある復調を実行することのできる実施例を説明する。図１３に示されるように、復調システムおよび方法１３００は、上記のように、結合復調器１３１０を含み、また、シングル・ユーザ検知器とも呼ばれるシングル・ユーザ復調器１３２０をも有する。選択器１３３０は、現在のスロットのために、結合復調器１３１０とシングル・ユーザ復調器１３２０のどちらかを選択する。従って、結合復調とシングル・ユーザ復調に適応した選択が実行される。
【００４１】
結合復調が使用される場合、長期ＡＦＣは、既に説明したように動作することができる。シングル・ユーザ復調が選択されると、シングル・ユーザ復調器は妨害者を復調する必要がないので、妨害者に対する対応する周波数更新はない。この場合、妨害者の周波数は、一定に保たれることが望ましい。図１３において、マルチプレクサ１３４０は、妨害者周波数ｆ２が更新されることなく一定に保たれるようにするため、使用される。それに対し図１４においては、復調システムおよび方法１４００は、上記のようにシングル・ユーザ復調器１４２０および結合復調器１４１０を使用するが、エラー周波数を出力する。選択器１４３０がシングル・ユーザ復調１４２０を選択した場合、シングル・ユーザ復調器１４２０および結合復調器１４１０によって妨害周波数エラーが出力されたとき、マルチプレクサ１４４０はゼロ入力を選択することができる。
【００４２】
本発明の実施例による、２ユーザ結合復調システムおよび方法のシミュレーション結果をここに説明する。図１５は、周波数エラーがない場合の、ＡＦＣがない場合、独立ＡＦＣおよび結合ＡＦＣの場合を比較した性能を示している。これらのＡＦＣの条件は、それぞれ、ＡＦＣ０、ＡＦＣ１およびＡＦＣ１１として指定されている。またこの図には、ＡＦＣを持つあるいは持たない従来の復調器および既知の真チャネル情報がある場合の性能も示されている。望ましい信号および妨害信号に割り当てられたタップの数は、Ｄｎ／Ｉｍとして示されている。従って、従来の復調器は、Ｄ１／Ｉ０として表されている。結合復調器は、ひとつの望ましい信号および３つの妨害タップを使用し、従って、Ｄ１／Ｉ３と表されている。また、チャネルが既知と仮定する（ＴＣ）、あるいは推定が使用される（ＥＣ）、同期が既知（ＴＳ）、あるいは推定される（ＥＳ）、そして、妨害不整列が既知（ＴＭ）あるいは推定される（ＥＭ）が指定されている。望ましい信号および妨害信号に対する実際の周波数オフセットは、Ｄｆｄ／ＩｆｉＨｚとして表されている。
【００４３】
図１５は、従来の復調においては、ＡＦＣは望ましい信号において周波数オフセットがない場合、性能を著しく悪化させることはないことを示している。しかし、結合復調が独立ＡＦＣと共に使用された場合、従来の復調と比較して優れた点はあるけれども（１％ＢＥＲにつき約１ｄＢ）、ＡＦＣの性能は著しく悪化する。結合ＡＦＣを使用すると、ＡＦＣが使用されていないとき（そして周波数オフセットがないとき）の、もともとの結果に性能を復元する。
【００４４】
図面および明細において、本発明の典型的な好ましい実施例を開示してきた。特定の用語が使用されているが、それらは一般的および説明的な意味においてのみ使用されているものであって、限定的なものではない。本発明の範囲は、上記の請求項に説明されている。
【図面の簡単な説明】
【図１】
従来の長期ＡＦＣループのブロック図である。
【図２】
本発明の実施例による、妨害信号の相対的周波数オフセットを示した図である。
【図３】
本発明による結合復調システムおよびその方法の代替実施例を表すブロック図である。
【図４】
本発明による結合復調システムおよびその方法の代替実施例を表すブロック図である。
【図５】
本発明による２ユーザ結合復調のための長期ＡＦＣのためのシステムおよび方法の実施例を表すブロック図である。
【図６】
本発明の実施例によるＰＳＰ  ＭＬＳＥの実施例を表すブロック図である。
【図７】
本発明の実施例による複数サバイバＭＬＳＥを表すブロック図である。
【図８】
本発明の実施例による２ユーザ結合復調のための距離計算を表すブロック図である。
【図９】
本発明による２ユーザ結合復調のためのチャネル推定を表すブロック図である。
【図１０】
本発明の実施例による２ユーザ結合復調のための局所および長期ＡＦＣを表すブロック図である。
【図１１】
本発明の実施例による２ユーザ結合復調のための位相エラー計算を表すブロック図である。
【図１２】
本発明の実施例による結合復調に使用することができる第２オーダの位相同期ループを表すブロック図である。
【図１３】
本発明の実施例による、新しい周波数出力を持つ適応復調を表すブロック図である。
【図１４】
本発明の実施例による、新しい周波数エラー出力を持つ適応復調を表すブロック図である。
【図１５】
本発明の実施例による結合ＡＦＣの結果のシミュレーションを表す図である。
【図１】
2005507570.tif 000032
【図２】
2005507570.tif 000033
【図３】
2005507570.tif 000034
【図４】
2005507570.tif 000035
【図５】
2005507570.tif 000036
【図６】
2005507570.tif 000037
【図７】
2005507570.tif 000038
【図８】
2005507570.tif 000039
【図９】
2005507570.tif 000040
【図１０】
2005507570.tif 000041
【図１１】
2005507570.tif 000042
【図１２】
2005507570.tif 000043
【図１３】
2005507570.tif 000044
【図１４】
2005507570.tif 000045
【図１５】
2005507570.tif 000046
【国際公開パンフレット】
2005507570.tif 000047
2005507570.tif 000048
2005507570.tif 000049
2005507570.tif 000050
2005507570.tif 000051
2005507570.tif 000052
2005507570.tif 000053
2005507570.tif 000054
2005507570.tif 000055
2005507570.tif 000056
2005507570.tif 000057
2005507570.tif 000058
2005507570.tif 000059
2005507570.tif 000060
2005507570.tif 000061
2005507570.tif 000062
2005507570.tif 000063
2005507570.tif 000064
2005507570.tif 000065
2005507570.tif 000066
2005507570.tif 000067
2005507570.tif 000068
2005507570.tif 000069
2005507570.tif 000070
2005507570.tif 000071
2005507570.tif 000072
2005507570.tif 000073
2005507570.tif 000074
2005507570.tif 000075
2005507570.tif 000076
2005507570.tif 000077
2005507570.tif 000078
【国際公開パンフレット（コレクトバージョン）】
2005507570.tif 000079
2005507570.tif 000080
【国際調査報告】
2005507570.tif 000081
2005507570.tif 000082
2005507570.tif 000083